(57)【要約】      （修正有）【課題】製造プロセスのコスト効率を高め、時間の節約を可能にする、薄肉の曲面部材を隔壁に組み付ける方法を提供する。【解決手段】各部材は、互いに整列するよう構成された対向エッジを有する。第１部材１６と隔壁が予め組み付けられる。一態様によれば、第２部材１２が隔壁に対してクランプされて、第２部材１２の対向エッジと隔壁との間の径方向隙間が、組み立て前に測定される。径方向隙間の平均値が算出され、また、算出された径方向隙間の平均値に対応する特定のシム厚みが選択される。第２部材１２のクランプが解除され、算出された隙間の平均値に対応して選択された厚みを有する複数のシム３０が隔壁の周りに配置される。次いで、第１部材１６と第２部材１２それぞれの対向エッジが径方向に互いに整列した状態で固定されるように、第２部材１２が隔壁に恒久的に固定される。【選択図】図５
2020164150.tif 000002
【特許請求の範囲】
【請求項１】
軸を有する隔壁に第１曲面部材と第２曲面部材を組み付けて、前記第１部材における対向エッジが、前記第２部材における対向エッジと軸方向に離間し、且つ、径方向に整列するように固定する方法であって、
前記第１部材を前記隔壁に予め組み付けることと、
予測分析を利用して、前記隔壁と前記第２部材の前記対向エッジとの間の径方向隙間を組み立て前に測定して、前記第２部材と前記隔壁との間に周方向に延在する径方向隙間の平均値を算出することと、
予め作製された複数組のシムのうち、前記算出した径方向隙間の平均値に対応するシム厚みに最も近い特定のシム厚みの組を選択することと、
前記選択された特定のシム厚みの複数のシムを、前記隔壁のうち前記第２部材の前記エッジの内側に配置される予定の位置に、前記隔壁の周方向に互いに離間させて配置することと、
前記第１部材の前記対向エッジと前記第２部材の前記対向エッジが径方向に互いに整列した状態で固定されるように、前記第２部材を前記隔壁に恒久的に固定することと、を含む方法。
【請求項２】
前記第１部材及び前記第２部材は、薄肉部材である、請求項１に記載の方法。
【請求項３】
前記第１部材と前記第２部材は、共通の軸を有し、前記隔壁は、前記同じ軸を共有する、請求項１又は２に記載の方法。
【請求項４】
前記第１部材は複合材料製であり、前記隔壁は金属製であり、前記第２部材は金属製である、請求項１〜３のいずれかに記載の方法。
【請求項５】
前記第１部材の前記対向エッジと前記第２部材の前記対向エッジとは、軸方向に互いに１，０００分の３０インチから１，０００分の１５０インチ離間している、請求項１〜４のいずれかに記載の方法。
【請求項６】
前記第１部材は、ターボファンジェットエンジンの内側バレルである、請求項１〜５のいずれかに記載の方法。
【請求項７】
前記内側バレルは、前記対向エッジに面取りを含む、請求項６に記載の方法。
【請求項８】
前記第２部材は、ターボファンジェットエンジンのナセルリップスキンである、請求項１〜７のいずれかに記載の方法。
【請求項９】
前記特定の厚みの前記複数のシムが選択される前記予め作製された複数組のシムは、各組の厚みが０．００５インチから０．０１０インチの刻みで増分されている、請求項１〜８のいずれかに記載の方法。
【請求項１０】
軸を有する隔壁に第１及び第２の航空機曲面部材が組み付けられており、前記両部材の対向エッジが軸方向に互いに離間し、且つ、径方向に整列した状態で固定された組み立て品であって、前記両部材が、
予測分析を利用して、前記隔壁と前記第２部材の前記対向エッジとの間の径方向隙間を組み立て前に測定して、前記第２部材と前記隔壁との径方向隙間の平均値を算出することと、
予め作製された複数組のシムのうち、前記算出した径方向隙間の平均値に対応するシム厚みに最も近い特定のシム厚みの組を選択することと、
前記選択された特定のシム厚みの複数のシムを、前記隔壁のうち前記第２部材の前記エッジの内側に配置される予定の位置に、前記隔壁の周方向に互いに離間させて配置することと、
前記第１部材の前記対向エッジと前記第２部材の前記対向エッジが径方向に互いに整列した状態で固定されるように、前記第２部材を前記隔壁に前記複数のシムと一緒に恒久的に固定することと、を含むプロセスにより組み立てられたものである、組み立て品。
【請求項１１】
前記第１部材は複合材料製であり、前記隔壁及び前記第２部材は金属製である、請求項１０に記載の組み立て品。
【発明の詳細な説明】
【技術分野】
【０００１】
本開示は、概して、航空機の製造に関し、より具体的には、互いに隣接するように隔壁などの支持構造に取り付けられた薄肉曲面部材の間に空力的な段差（aerodynamic step）が生じることを回避するためのプロセスの最適化に関する。
【背景技術】
【０００２】
航空機の「濡れ（wetted）」面としても知られる空力的外表面は、部材の取り付け（component fit-up）に際して、製造公差のばらつきが大きい場合がある。対向エッジ（即ち、固定する接合部）における隙間を、特定の輪郭形状のフィラー又はシムを用いて所定の位置に固定及び／又はロックすると、その結果として生じるばらつきによって空気流に乱れが生じるので、後方の接合面が腐食する要因になりうる。複合材料製の部材であれば、そのような腐食は、実際に層間剥離を引き起こす可能性がある。このような腐食のリスクがあるので、航空機の濡れ面を構成する部材の対向エッジの作製に際しては、特に注意が必要である。
【０００３】
例えば、エンジンナセルのリップスキン（lipskin）、翼の前縁、及び、胴体接合部の後方に位置する濡れ面などの薄肉の曲面航空機部材では、このようなリスクがやや高い。致命的な損傷を避けるために、上述のナセルリップスキンをはじめとする薄肉構造は、例えば、シムと一緒に取り付けられることで、土台となる隔壁などの支持構造に対して所望の位置に固定される。
【０００４】
シムを設置する手法は、一般的に「シム調整（shimming）」と呼ばれ、従来から、所望の精度を保証するためには比較的手間のかかる作業であった。通常、輪郭を個々に調整したシムが用いられるが、そのようなシムの設置にはコストと時間を要することが多い。
【０００５】
したがって、コストの低減と時間の節約が可能なシム調整の方法及びシステムの開発が、引き続き必要とされている。
【発明の概要】
【０００６】
本開示の一態様によれば、第１曲面部材と第２曲面部材を隔壁に組み付けて、前記第１部材における対向エッジが、前記第２部材における対向エッジと軸方向に離間し、且つ、径方向に整列するように固定する方法が開示される。前記方法は、前記第１部材を前記隔壁に予め組み付けることを含み、次いで、前記隔壁と前記第２部材の対向エッジとの間のすべての径方向隙間を組み立て前に測定することを含む。前記隔組み立て前の測定は、予測分析を利用して、前記第２部材と前記隔壁との間に周方向に延在する径方向隙間の平均値を算出することで行われる。予め作製された複数組のシムのから、すべての径方向隙間から算出した前記平均値に対応するシム厚みに最も近い特定のシム厚みの組が選択される。次いで、前記選択された特定の厚みの複数のシムが、前記隔壁のうち、前記第２部材の前記エッジの内側に配置される予定の位置に、前記隔壁の周方向に互いに離間するように配置される。次いで、前記第１部材の前記対向エッジと前記第２部材の前記対向エッジが径方向に互いに整列した状態で固定されるように、前記第２部材が前記隔壁に恒久的に固定される。
【０００７】
本開示の別の態様によれば、軸を有する支持構造に第１の薄肉曲面部材と第２の薄肉曲面部材を組み付けて、各部材が規定する対向エッジが、軸方向に互いに離間し、且つ、径方向に整列するように固定する方法が開示される。当該方法は、前記第１部材を前記支持構造に予め組み付けることを含む。次いで、前記第２部材の前記対向エッジが前記第１部材の前記対向エッジから軸方向に離間した状態で、前記第２部材が前記支持構造にクランプされ、前記第２部材と前記支持構造との間に周方向に延在する径方向隙間が、前記第２部材の前記対向エッジにおいて、組み立て前に測定される。前記径方向隙間の平均値が算出され、また、前記算出された隙間の平均値に対応するシム厚みが特定される。次に、前記第２部材のクランプが解除されて、前記第２部材の前記エッジが前記支持構造から離間し、前記径方向隙間について算出された平均値に対応して選択された厚みを有する複数のシムが、前記支持構造の周方向に互いに離間するように、前記支持構造に配置される。最後に、前記第１部材の前記対向エッジと前記第２部材の前記対向エッジが径方向に互いに整列した状態で固定されるように、前記第２部材を前記支持構造に恒久的に固定される。
【０００８】
本開示のさらに別の側面によれば、プロダクトバイプロセスとして形成された組み立て品は、隔壁に組み付けられた第１及び第２の航空機曲面部材を含み、前記両部材の対向エッジが軸方向に離間し、且つ、径方向に整列した状態で固定された組み立て品である。前記第１部材は、前記隔壁に予め組み付けられ、次いで、前記第２部材の前記対向エッジと前記隔壁との間の隙間を組み立て間に測定したのちに、前記第２部材は、別個に前記隔壁に組み付けられる。この目的のため、予測分析モデルを適用することで、すべての径方向隙間の平均値が算出される。また、予め作製された複数組のシムのうち、前記算出された隙間の平均値に対応するシム厚みに最も近い特定のシム厚みの組が選択される。前記組に含まれる複数のシムが、前記隔壁の周方向に配置される。前記組に含まれるシムは、すべて、前記隙間の平均値に対応する同一の厚みを有する。次いで、前記第１部材の前記対向エッジと前記第２部材の前記対向エッジが径方向に互いに整列した状態で固定されるように、前記第２部材が前記隔壁に恒久的に固定される。
【０００９】
本開示の特徴、機能、及び、利点は、様々な実施形態において個別に達成することも可能であるし、さらにほかの実施形態と組み合わせることも可能である。詳細については、下記の説明及び図面を参照すれば、さらに明らかであろう。
【図面の簡単な説明】
【００１０】
【図１】ナセルリップスキン部材と内側バレル部材とが組み立てられた航空機ターボファンジェットエンジンの透視概略図であって、本開示に従って組み立てられた両部材のエッジが示されている。
【図２Ａ】隔壁に固定されたナセルリップスキンの横断面図であり、リップスキンの対向エッジと内側バレルの対向エッジの間にある一種の径方向のずれによって、両対向エッジ間に望ましくない空力段差がある状態を示している。
【図２Ｂ】隔壁に固定されたナセルリップスキンの横断面図であり、リップスキンの対向エッジと内側バレルの対向エッジとの間に径方向のずれがない状態を示している。
【図２Ｃ】隔壁に固定されたナセルリップスキンの横断面図であり、リップスキンの対向エッジと内側バレルの対向エッジとの間にある別の種類の径方向のずれによって、両対向エッジ間に望ましくない空力段差がある状態を示している。
【図３】ナセルリップスキン対向エッジと隔壁の対向エッジの間に生じうる、図２Ａ、図２Ｂ及び図２Ｃに示した径方向隙間の種類を例示的に示す概略図である。
【図４】ナセルリップスキンと内側バレルの一部を示す、図１の線４−４に沿った断面図である。
【図５】図４の挿入図として切り出された、ナセルリップスキンと内側バレルの拡大断面図であって、両部材が本開示に従って隔壁に取り付けられた状態であって、ナセルリップスキンと内側バレルとの間にシムが配置された状態を示している。
【図６】ナセルリップスキン、内側バレル、及び、隔壁の透視分解概略図であって、これらの部材が、本開示の一方法に従って、部分組立ツールに支持された状態を示している。
【図７】先行技術の方法による隔壁の正面断面図であり、輪郭を個々に調整した従来のシムを示している。
【図８】輪郭を個々に調整した先行技術によるシムの代替として作製及び使用可能な、本開示による一定の厚みのシムを示す断面図である。
【図９】本開示による、予め作製されたシムの複数の組を概略的に示す図であり、各組のシムは、すべて同じ厚みを有し、各組のシムの厚みは、他の組のシムの厚みとは異なり、この中から特定のシム厚みが選択される。
【図１０】内側バレル及びリップスキンを隔壁に装着する本開示の第１の方法を示すフローチャートである。
【図１１】内側バレル及びリップスキンを隔壁に装着する本開示の第２の方法を示す第２のフローチャートである。
【図１２】胴体セクションの透視図であり、本開示に従って組付け可能な、互いに対向する接合部が示されている。
【発明を実施するための形態】
【００１１】
参照図面は、必ずしも縮尺通りではなく、本開示の実施形態を模式的に示しているに過ぎない。本開示の実施形態の態様は、本開示に図示や説明されていない様々なシステム及び環境において互いに組み合わせたり、置き換えたりすることが可能である。したがって、後述の詳細な説明は、あくまでも説明を目的とするものであり、その用途や使用を限定することを意図するものではない。
【００１２】
後述の詳細な説明は、本開示を実施するための方法の態様に加えて、プロダクトバイプロセスの態様も含む。本開示の範囲は、請求の範囲の記載によって定義される。
【００１３】
先ず、図１を参照すると、航空機ターボファンジェットエンジン１０は、民間のジェット機（図示せず）に用いられる種類のものであり、ジェットエンジン隔壁１４（図１では、隠れて見えないが、図３に示されている）に直に取り付けられたナセルリップスキン１２を含む。隔壁１４は、軸「ａ−ａ」（図３）を規定する。リップスキン１２、及び、当該リップスキン１２に隣接して配置された内側バレル１６は、いずれも曲面部材であって、本開示の方法を用いて隔壁１４の軸方向及び径方向に固定可能な種類の部材である。隔壁１４は、重要な支持構造であって、例えば、チタン又はアルミニウムなどの金属で構成されている。通常は、リップスキン１２も比較的薄肉の金属部材であって、アルミニウム合金で構成されている。よって、フライト中に既知の着氷条件においてリップスキンの前縁１７から除氷のために排出される高温のエンジン抽気に耐えることができる。これに対し、内側バレル１６は、本開示の実施例では、比較的軽量で剛性の高い複合材料で構成されている。内側バレルは、本開示には記載していないが、当業界で公知の事前組み立てプロセスによって隔壁１４に取り付けられている。
【００１４】
リップスキン１２と内側バレル１６とは、主には膨脹係数が異なることにより、軸方向に互いに少し距離をあけて配置することが望ましい。この結果、理想的には、リップスキン１２のエッジ１９は、内側バレル１６のエッジ２１から軸方向に１，０００分の３０インチから１，０００分の１５０インチ離して配置することが望ましい。このように配置すれば、リップスキン１２の金属エッジ１９が内側バレル１６の複合材エッジ２１に対して軸方向に膨張しても、これを吸収することができる。矢印Ａは、軸方向に離間した上述のエッジ１９及び２１を含む、いわゆる濡れ面における接合部（faying joint）１８を越えて流れる空気の相対的な動きを表している。空力接合部、即ち「濡れ面接合部」の製造に際しては、いわゆる空力段差の形成を避けるべく、特別な注意を払う必要がある。空力段差があると、接合部１８などの接合部の後方の領域に腐食の可能性が生じ、そのような可能性は、影響を受ける側である下流側に位置する構造が複合材料で構成されている場合に顕著である。そのような腐食は、複合材料の層間剥離をはじめとする深刻な損傷を実際に引き起こす可能性がある。
【００１５】
次に、図２Ａ、図２Ｂ及び図２Ｃを参照すると、周方向に延びる接合部１８を示す３つの典型的な断面図が示されており、図２Ａでは、正段差（positive step）である空力段差３４'が示されている。図２Ｂは、実質的に空力段差のない状態を示している。これに対し、図２Ｃは、負段差（negative step）である空力段差３４’’を示している。空力段差は、ナセルリップスキン１２の径規定外面２７と内側バレル１６の径規定外面２９で測定した場合に、軸方向に離間した対向エッジ１９と２１との間に径方向のずれ（radial offset）がある場合に発生する。ナセルリップスキン１２の径規定外面２７を通過した空気流（矢印Ａで示す）が、内側バレル１６のエッジ２１に直接当たる場合は、段差が正であるという。なお、エッジ２１は、上述した接合部における腐食の影響を最小限に抑えるために面取り２８を有する。反対に、ナセルリップスキン１２の径規定外面２７を通過した空気流が、図２Ｃに示すように内側バレル１６のエッジ２１の径方向上方を通過する場合は、段差が負であるという。なお、正段差であっても、負段差であっても、特定の構造的制限の範囲外の空力段差が許容されないことは当業者には理解されよう。
【００１６】
図２Ａ、図２Ｂ及び図２Ｃにそれぞれ示すように、径方向隙間（radial gap）２６ａ、２６ｂ及び２６ｃは、隔壁１４の径規定外面２０とナセルリップスキン１２の径規定内面２４とによって規定されるとともに、周方向に延びており、この径方向隙間を調整することで空力段差３４'又は３４''の大きさを制御することができる。なお、各隙間２６ａ、２６ｂ及び２６ｃは、正又は負の空力段差３４'及び３４''と混同すべきものではなく、また、直接的な相関関係にあるものでもない。例えば、図２Ａに示した隙間２６ａは、実際には、ほとんど隙間がない状態であるにもかかわらず、上述したように、正段差３４'に対応している。これに対し、図２Ｂでは、空力段差なしの状態が認識可能な大きさの隙間２６ｂに対応しており、また、負段差である空力段差３４''は、さらに大きな隙間２６ｃに対応している。
【００１７】
次に、図３を参照すると、本開示の方法によれば、図示した隙間２６ａ、２６ｂ及び２６ｃだけでなく、ナセルリップスキン１２と隔壁１４との間に周方向に延在するその他のすべての隙間も効率的に制御することができ、従来の方法に比べて、コスト効率が高く、所要時間も大幅に短い。加えて、総じて「平均厚みに基づくシム調整（average thickness shimming）」とも呼ぶ本開示の方法は、軸方向に互いに離間する部材のうちの一方（即ち、内側バレル１６）が剛性であり、他方（即ち、薄肉リップスキン１２）が可撓性及び／又は柔軟性を有する場合に、特に有利である。
【００１８】
次に、図４を併せて参照すると、図１の線４−４に沿って、ナセルリップスキン１２、及び、隣接する内側バレル１６の断面を示している。同図に示すように、周方向の接合部１８がナセルリップスキン１２の吸気口直径３６の位置に配置されている。なお、ナセルリップスキンの吸気口は、本開示の方法を説明するために、代表的な一実施例として示しているに過ぎない。例えば、ジェットエンジン１０の外側カウリング３８に配置された同様の接合部にも、同様の説明が可能である。
【００１９】
次に、特に図５を参照すると、接合部１８の周方向に沿って形成される負又は正の空力段差３４'及び３４''を最小化する／低減することを目的として、隔壁１４とナセルリップスキン１２の間に、詳細を後述するシム３０が配置されている。また、図５に示すように、隔壁１４と内側バレル１６は、ファスナ３２を用いて固定されており、隔壁１４とナセルリップスキン１２は、両者の間にスペーサとして機能するシム３０を挟んだ状態で、ファスナ３２'を用いて固定されている。図示のように、ファスナ３２及び３２'は、ナセルリップスキン１２の径規定外面２７及び内側バレル１６の径規定外面２９に対しては面一に設定されているが、隔壁１４の径規定内面２２によって画成される空間内に物理的に突入していてもよい。
【００２０】
図６を参照すると、部分組立ツール４０によれば、隔壁１４に先に取り付けられた複合材製の内側バレル１６に隣接する位置において、ナセルリップスキン１２を隔壁１４に対して垂直に装着することを可能にする。図６に示す軸ａ−ａは、ナセルリップスキン１２、隔壁１４、及び、複合材製の内側バレル１６に共通する軸である。リップスキン部材及び内側バレル部材は、いずれも隔壁に固定されるので、隔壁、内側バレル、及び、リップスキンは、組み立てが完了した状態においても軸ａ−ａを共有する。
【００２１】
本開示で提示する方法は、金属製の隔壁１４に複合材製の内側バレル１６が予め組み付けられた状態を前提としている。この手法は、隔壁１４が、予め内側バレル１６と一体的に組み立て可能である場合に特に有利である。
【００２２】
図７を参照すると、先行技術による輪郭調整されたシム４４ａ〜４４ｈを配列した状態が示されている。各シムは、先行技術の隙間制御に従ってそれぞれ異なる外側輪郭４６ａ〜４６ｈを有しており、図示のように隔壁１４に配置されている。シム４４ａ〜４４ｈは、各々が固有の厚みと、個々に成形された外側輪郭（即ち、輪郭４６ａ〜４６ｈのいずれか）を有しており、このような多様性が、先行技術に望ましくない複雑性をもたらしている。従来の航空宇宙構造物は、組み立てツールを用いて組み立てられ、その組み立て工程において、１リニアフィート当たり（per linear foot）５ポンド以下のクランプ荷重（clamp-up load）が加えられる。リップスキンなど、複雑な輪郭形状の部材において、例えば、対向エッジの間に斜めの隙間がある場合、従来のプロセスでは、隙間を埋めるために個別仕様のシムを使用するので、作製のサイクルタイムが非効率的になり、面倒な手間がかかり、高価な機器が必要である。より新しい技術として、シム形状の予測を用いることで労力の最小化する技術はあるものの、このようなプロセスは、熟練を要する高コストの測定技術に加えて、ＣＮＣ機器の専門的な使用を必要とする。したがって、従来の手法は、高い生産率を維持するためには、コストがかかりすぎると言える。
【００２３】
図８を参照すると、本開示は、先行技術による個々に輪郭調整されたシム４４ａ〜４４ｈ（図７）に代えて、例えば図８のシム５０ａ〜５０ｈのように、在庫として保管される、厚みが均一でフラットな複数の標準シムを用いる手段を提供する。よって、本開示が提供する方法によれば、翼の外板、前縁部分の外板、胴体部、及び、ナセルリップスキンなどの薄肉部材を隔壁に取り付けることを必要とする用途において、予め作製された厚みが同一厚みの単純なシム５０ａ〜５０ｈ（図５に示す１つのシム３０と同様のもの）を容易に利用することができる。薄肉の金属構造は、形状適合性（compliance）を有するので、隔壁などの硬い取付点にエアフォイル面を「覆い被せる（drape）」ことが可能である。輪郭を個々に調整したシムに換えて、在庫品であるフラットなシムを使用すれば、上述したようなＣＮＣ機器、時間及び労力をはじめとするシムの作製技術は不要である。加えて、フラットなシム５０ａ−ｈは、使用現場にストックしておけるので、緩衝在庫も不要になる。シムの材料は、金属であってもよいし、ガラス繊維などの複合材料であってもよい。
【００２４】
一態様において、あくまでも例としてではあるが、ターボファンジェットエンジン１０のナセルリップスキン１２の厚みが０．０６０インチと０．１２０インチの間であり、吸気口直径３６が約７２インチであると仮定する。この場合、シム５０ａ〜５０ｈは、ガラス繊維で作製し、図９に示すように、各シム５０ａ〜５０ｈを、長さ２フィート、及び、幅１インチとすることができる。図９に、様々な厚みの複数組のシムをシム１〜８として模式的に示している。様々な厚みのシムがあるが、各組におけるシムは、同じ特定の厚みを有する。これらは、予め作製されたシムのストックとして保管しておき、この中から必要に応じて特定の厚みのシムを選択することができる。この選択肢の中から、０．０１０インチと０．０６０インチの範囲で組ごとに異なる様々なシム厚みを選択可能である。複数の複数組のシムにおける各組のシム厚みは、約０．００５インチから０．０１０インチの刻みで増分されている。また、図９は、それぞれ独自の厚みを有する複数組のシム１〜８は、「接合部Ａ」に合わせて予め作製されたものであることを示している。この接合部は、図１、図２、図４、図５に示すナセルリップスキン１２と内側バレル１６との間の接合部１８を表している。
【００２５】
次に、図１０を参照すると、フラットシム５０ａ〜５０ｈを用いて、上述のようにナセルリップスキン１２を隔壁１４に取り付ける第１の方法のいくつかのステップを記載した第１のフローチャートが示されている。ステップ１００において、先ず、内側バレル１６を隔壁１４に予め組み付ける。ステップ１０２は、隔壁１４とナセルリップスキン１２の対向エッジ１９との間の径方向隙間２６（例えば、図２及び図３の隙間２６ａ、２６ｂ及び２６ｃなど）を組み立て前に測定することを含む。これは、予測分析を適用して、ナセルリップスキン１２と隔壁１４との間に延在する径方向隙間２６の平均値を算出することで実行される。ここで採用する予測分析モデルは、すべての径方向隙間から算出された平均値が、基準値からのずれの部位ごとの許容値範囲内に収まっているか、すなわち構造的な許容制限の範囲内にあるか評価することを含んでもよい。
【００２６】
より具体的には、採用する予測分析モデルは、いずれも、リップスキン１２を隔壁１４に取り付ける前に、この隔壁に関連づけた当該リップスキンの組み立て前測定を行うことを含んでもよく、この測定は、作製後のリップスキン面の点データを取得し、当該リップスキンを表す点群面を生成することで実行可能である。なお、この技術は、当業者には理解されるであろう。次いで、作製後の状態を表す点群面を使用することで、作製後のリップスキン１２の対向エッジ１９に局所的なうねり（即ち、表面のばらつき）がある場合、組み立てたて時に、所定の制限を超えるようなたわみが発生する可能性があるか判定することができる。この判定は、作製後の実表面を平均的なシムの（あるいは、シム調整後の）表面位置を表す値と直接比較するコンピュータアルゴリズムによって補助することができ、よって、作製後の位置とシム調整後の位置の間の相対的なずれの大きさの予測を補助することができる。なお、リップスキンの特定の設計的特徴に基づく構造的な分析を適用して、作製後の状態で表面にうねりがある対向面１９の任意の局所領域について、最大ずれ量の制限値を設定してもよい（つまり、対向面とシム調整後の表面位置との差分がずれ量として算出される）。シム調整後の表面位置は、リップスキンの表面を内側バレル１６の対向面２１と整列させるために必要な移動又はシフトの量を算出することにより特定できる。作製後の内側バレル１６と作製後のリップスキン１２とは、それぞれ別個に測定され、また、それぞれの点群面は、組み立て前に生成されるので、剛性たわみ限界を設定する任意の構造分析とともに、両測定値の差分の算出は、必ず実際の組み立ての前に行われる。
【００２７】
引き続き図１０のフローチャートについて説明すると、ステップ１０４において、シム５０ａ〜シム５０ｈを含む、予め作製された複数組のシム１〜８（図９）のうち、例示した隙間２６ａ、２６ｂ及び２６ｃをはじめとするすべての径方向隙間２６から算出した平均値に対応するシム厚みに最も近い特定のシム厚みの組を選択する。
【００２８】
ステップ１０６において、選択された同一の特定厚みを有する複数のシム５０ａ〜５０ｈを、隔壁１４における周方向の位置であって、ナセルリップスキン１２のエッジ１９の内側に配置される予定の位置に配置する。
【００２９】
最後に、ステップ１０８において、ナセルリップスキン１２を隔壁１４に永続的に固定し、この際に、両構造の間に配置されたシムも一緒に一体化して、ナセルリップスキンのエッジ１９と隔壁のエッジ２１が径方向に互いに整列した状態で固定されるようにする。
【００３０】
次に、図１１を参照すると、フラットシム５０ａ〜５０ｈを用いて、上述のようにナセルリップスキン１２を隔壁１４に取り付ける第２の方法のいくつかのステップを記載した第２のフローチャートが示されている。本方法においても、ステップ２００において、先ず、内側バレル１６を隔壁１４に予め組み付ける。ただし、第２の方法においては、径方向隙間２６の組み立て前測定を行う際に、予測分析は利用しない。代わりに、径方向隙間２６（図２Ａ〜図２Ｃ及び図３に例示した隙間２６ａ、２６ｂ及び２６ｃ）を物理的に測定して、ナセルリップスキン１２と隔壁１４の間に周方向に延在するすべての径方向隙間２６の平均値を算出する。
【００３１】
この目的で、ステップ２００において内側バレル１６を隔壁に組み付けた後、ステップ２０２において、ナセルリップスキン１２の対向エッジ１９を所定の位置に配置した状態で、ナセルリップスキン１２を隔壁１４に対して物理的にクランプする。ナセルリップスキン１２と隔壁１４との間に周方向に延在するすべての径方向隙間２６（例えば、隙間２６ａ、２６ｂ及び２６ｃ）を物理的に測定する。
【００３２】
ステップ２０４において、径方向隙間２６の平均値を算出し、ここで算出した平均値は、暫定の値であり、受け入れ前に、構造的に許容される所定の制限の範囲に収まっているか評価する。したがって、図１１に示す組み立てプロセスにおいては、ナセルリップスキン１２が隔壁１４に対して物理的にクランプされた状態であるが、作製後の状態におけるうねりについて上述した局所的なたわみ限界は、同様に適用可能である。そのようなたわみ限界は、設計部品の構造的分析に基づいて「所定のたわみ限界」を設定することを含むが、図１０の組み立てプロセスで説明した、点群面のモデル生成を含む「予測分析」プロセスは行わない。したがって、図１１の組み立てプロセスには、組み立て前に構造測定を行って設定された任意の所定のたわみ限界が適用される。
【００３３】
引き続き、図１１のフローチャートについて説明すると、次に、複数のシム５０ａ〜５０ｈを含む、予め作製された複数組のシム１〜８（図９）から特定の厚みのシムを選択する。この特定のシム厚みは、複数の組のうち、すべての径方向隙間２６から算出した平均値に対応するシム厚みに最も近いシム厚みの組が選択される。平均値の算出の対象とされた、周方向に延在するすべての隙間２６には、リップスキンと隔壁との間のすべての隙間が含まれ、例として上述した隙間２６ａ、２６ｂ及び２６ｃも含まれる。
【００３４】
ステップ２０６において、ナセルリップスキン１２を隔壁１４から離脱させ、すべて同じ厚みを有する選択された複数のシム（例えば、シム５０ａ〜５０ｈ）を隔壁１４における周方向の位置であって、ナセルリップスキン１２のエッジ１９の内側に配置される予定の位置に配置する。
【００３５】
最後に、ステップ２０８において、ナセルリップスキン１２を隔壁１４に永続的に固定し、この際に、両構造の間に配置されたシムも一緒に一体化して、ナセルリップスキンのエッジ１９と隔壁のエッジ２１が径方向に互いに整列した状態で固定されるようにする。
【００３６】
図１２を参照すると、胴体５８の分解図において、胴体セクション６０ａ〜６０ｄが示されている。本開示は、突合せ接合される胴体セクション６０ｂのエッジ６２と胴体セクション６０ｃのエッジ６４にも適用可能であり、例えば、内部フレームの隔壁構造（図示せず）にも適用可能であることは、当業者には理解されよう。
【００３７】
さらに、本開示は、下記の付記による実施形態も包含する。
【００３８】
付記１．軸を有する隔壁に第１曲面部材と第２曲面部材を組み付けて、前記第１部材における対向エッジが、前記第２部材における対向エッジと軸方向に離間し、且つ、径方向に整列するように固定する方法であって、
前記第１部材を前記隔壁に予め組み付けることと、
予測分析を利用して、前記隔壁と前記第２部材の前記対向エッジとの間の径方向隙間を組み立て前に測定して、前記第２部材と前記隔壁との間に周方向に延在する径方向隙間の平均値を算出することと、
予め作製された複数組のシムのうち、前記算出した径方向隙間の平均値に対応するシム厚みに最も近い特定のシム厚みの組を選択することと、
前記選択された特定のシム厚みの複数のシムを、前記隔壁のうち前記第２部材の前記エッジの内側に配置される予定の位置に、前記隔壁の周方向に互いに離間させて配置することと、
前記第１部材の前記対向エッジと前記第２部材の前記対向エッジが径方向に互いに整列した状態で固定されるように、前記第２部材を前記隔壁に恒久的に固定することと、を含む方法。
【００３９】
付記２．前記第１部材及び前記第２部材は、薄肉部材である、付記１に記載の方法。
【００４０】
付記３．前記第１部材と前記第２部材は、共通の軸を有し、前記隔壁は、前記同じ軸を共有する、付記１〜２のいずれかに記載の方法。
【００４１】
付記４．前記第１部材は複合材料製であり、前記隔壁は金属製であり、前記第２部材は金属製である、付記１〜３のいずれかに記載の方法。
【００４２】
付記５．前記第１部材の前記対向エッジと前記第２部材の前記対向エッジとは、軸方向に互いに１，０００分の３０インチから１，０００分の１５０インチ離間している、付記１〜４のいずれかに記載の方法。
【００４３】
付記６．前記第１部材は、ターボファンジェットエンジンの内側バレルである、付記１〜５のいずれかに記載の方法。
【００４４】
付記７．前記内側バレルは、前記対向エッジに面取りを含む、付記６に記載の方法。
【００４５】
付記８．前記第２部材は、ターボファンジェットエンジンのナセルリップスキンである、付記１〜７のいずれかに記載の方法。
【００４６】
付記９．前記特定の厚みの前記複数のシムが選択される前記予め作製された複数組のシムは、各組の厚みが約０．００５インチから０．０１０インチの刻みで増分されている、付記１〜８のいずれかに記載の方法。
【００４７】
付記１０．軸を有する支持構造に第１の薄肉曲面部材と第２の薄肉曲面部材を組み付けて、各部材が規定する対向エッジが、軸方向に互いに離間し、且つ、径方向に整列するように固定する方法であって、
前記第１部材を前記支持構造に予め組み付けることと、
前記対向エッジが前記支持構造において軸方向に互いに離間した状態で、第２部材を前記支持構造にクランプすることと、
前記第２部材と前記支持構造との間に周方向に延在する径方向隙間を、前記第２部材の前記対向エッジにおいて、組み立て前に測定することと、
前記径方向隙間の平均値を算出することと、
予め作製された複数組のシムのうち、前記算出した径方向隙間の平均値に対応するシム厚みに最も近い特定のシム厚みの組を選択することと、
前記第２部材のクランプを解除して、前記第２部材の前記エッジを前記支持構造から離間させることと、
前記径方向隙間の前記平均値に対応して選択された前記厚みを有する複数のシムを、前記支持構造の周方向に互いに離間するように、前記支持構造に配置することと、
前記第１部材の前記対向エッジと前記第２部材の前記対向エッジが径方向に互いに整列した状態で固定されるように、前記第２部材を前記支持構造に恒久的に固定することと、を含む方法。
【００４８】
付記１１．前記支持構造は、隔壁である、付記１０に記載の方法。
【００４９】
付記１２．前記第１部材と前記第２部材は、共通の軸を有し、前記隔壁は、前記同じ軸を共有する、付記１１に記載の方法。
【００５０】
付記１３．前記第１部材は複合材料製であり、前記隔壁は金属製であり、前記第２部材は金属製である、付記１１〜１２に記載の方法。
【００５１】
付記１４．前記第１部材は、ターボファンジェットエンジンの内側バレルである、付記１０〜１３のいずれかに記載の方法。
【００５２】
付記１５．前記第２部材は、ターボファンジェットエンジンのナセルリップスキンである、付記１０〜１４のいずれかに記載の方法。
【００５３】
付記１６．前記内側バレルは、前記対向エッジに面取りを含む、付記１４に記載の方法。
【００５４】
付記１７．前記特定の厚みの前記複数のシムが選択される前記予め作製された複数組のシムは、各組の厚みが約０．００５インチから０．０１０インチの刻みで増分されている、付記１０〜１６のいずれかに記載の方法。
【００５５】
付記１８．前記第１部材の前記対向エッジと前記第２部材の前記対向エッジとは、軸方向に互いに１，０００分の３０インチから１，０００分の１５０インチ離間している、付記１０〜１７のいずれかに記載の方法。
【００５６】
付記１９．軸を有する隔壁に第１及び第２の航空機曲面部材が組み付けられており、前記両部材の対向エッジが軸方向に互いに離間し、且つ、径方向に整列した状態で固定された組み立て品であって、前記両部材が、
予測分析を利用して、前記隔壁と前記第２部材の前記対向エッジとの間の径方向隙間を組み立て前に測定して、前記第２部材と前記隔壁との径方向隙間の平均値を算出することと、
予め作製された複数組のシムのうち、前記算出した径方向隙間の平均値に対応するシム厚みに最も近い特定のシム厚みの組を選択することと、
前記選択された特定のシム厚みの複数のシムを、前記隔壁のうち前記第２部材の前記エッジの内側に配置される予定の位置に、前記隔壁の周方向に互いに離間させて配置することと、
前記第１部材の前記対向エッジと前記第２部材の前記対向エッジが径方向に互いに整列した状態で固定されるように、前記第２部材を前記隔壁に前記複数のシムと一緒に恒久的に固定することと、を含むプロセスにより組み立てられたものである、組み立て品。
【００５７】
付記２０．前記第１部材は複合材料製であり、前記隔壁及び前記第２部材は金属製である、付記１９に記載の組み立て品。
【００５８】
本明細書では、２つの方法についてのみ具体的に説明したが、本開示は、開示も示唆もしていない他の変形及び変更が可能である。例えば、上記の説明には含まれていないが、コンピュータロジックプログラムを実装して、本開示に記載の方法のすくなくとも１つを実行するのに必要な任意の予測分析を行ってもよい。このことは、当業者には理解されよう。
【図１】
2020164150.tif 000003
【図２Ａ】
2020164150.tif 000004
【図２Ｂ】
2020164150.tif 000005
【図２Ｃ】
2020164150.tif 000006
【図３】
2020164150.tif 000007
【図４】
2020164150.tif 000008
【図５】
2020164150.tif 000009
【図６】
2020164150.tif 000010
【図７】
2020164150.tif 000011
【図８】
2020164150.tif 000012
【図９】
2020164150.tif 000013
【図１０】
2020164150.tif 000014
【図１１】
2020164150.tif 000015
【図１２】
2020164150.tif 000016
【外国語明細書】
2020164150000001.pdf
2020164150000002.pdf
2020164150000003.pdf
2020164150000004.pdf